(57)【要約】【課題】コンテンツ再生装置に対してコンテンツ毎の視聴制限を行うとともに、視聴制限されているコンテンツの存在を認識させない情報処理装置を提供すること。【解決手段】コンテンツを記憶する記憶部と、ネットワークに接続されているコンテンツ再生装置からコンテンツリスト要求を受信する通信部と、前記コンテンツに前記コンテンツ再生装置に対する視聴が制限されるコンテンツが含まれているか否かを判定する制御部と、を備え、前記制御部は、前記コンテンツに前記コンテンツ再生装置に対する視聴が制限されるコンテンツが含まれるときに、当該視聴が制限されるコンテンツ以外のコンテンツからなるコンテンツリストを生成し、前記コンテンツ再生装置に提供することとする。【選択図】図１
2014023086.tif 000002
【特許請求の範囲】
【請求項１】
コンテンツを記憶する記憶部と、
ネットワークに接続されているコンテンツ再生装置からコンテンツリスト要求を受信する通信部と、
前記コンテンツに前記コンテンツ再生装置に対する視聴が制限されるコンテンツが含まれているか否かを判定する制御部と、
を備え、
前記制御部は、前記コンテンツに前記コンテンツ再生装置に対する視聴が制限されるコンテンツが含まれるときに、当該視聴が制限されるコンテンツ以外のコンテンツからなるコンテンツリストを生成し、前記コンテンツ再生装置に提供することを特徴とする情報処理装置。
【請求項２】
前記制御部は、前記コンテンツのレイティングを示す情報及び前記コンテンツ再生装置のレイティングを示す情報を取得し、前記コンテンツのレイティングと前記コンテンツ再生装置のレイティングとを比較することによって、前記コンテンツに前記コンテンツ再生装置に対する視聴が制限されるコンテンツが含まれているか否かを判定することを特徴とする請求項１に記載の情報処理装置。
【請求項３】
前記制御部は、前記コンテンツのレイティングが前記コンテンツ再生装置のレイティングよりも大きい値であるときに前記コンテンツに前記コンテンツ再生装置に対する視聴が制限されるコンテンツが含まれていると判定することを特徴とする請求項２に記載の情報処理装置。
【請求項４】
前記コンテンツ再生装置のレイティングを示す情報は前記コンテンツ再生装置に割り当てられるＭＡＣアドレスに対応付けて記憶することを特徴とする請求項２又は請求項３に記載の情報処理装置。
【請求項５】
前記ＭＡＣアドレスに代えて、又は前記ＭＡＣアドレスに加えて任意の名称を設定可能であり、前記コンテンツ再生装置のレイティングを示す情報は前記任意の名称に対応付けて記憶することを特徴とする請求項２〜請求項４のいずれか１項に記載の情報処理装置。
【請求項６】
前記コンテンツのレイティングは設定変更可能であることを特徴とする請求項２〜請求項５のいずれか１項に記載の情報処理装置。
【請求項７】
前記コンテンツのレイティングの設定変更時に、前記コンテンツ再生装置のレイティングを表示することを特徴とする請求項６に記載の情報処理装置。
【請求項８】
前記コンテンツ再生装置のレイティングは設定変更可能であることを特徴とする請求項２〜請求項７のいずれか１項に記載の情報処理装置。
【請求項９】
前記コンテンツ再生装置のレイティングの設定変更時に、前記コンテンツのレイティングを表示することを特徴とする請求項８に記載の情報処理装置。
【請求項１０】
コンテンツ再生装置と情報処理装置とを備える視聴制限システムであって、
前記コンテンツ再生装置は、通信部を介してネットワークに接続されている情報処理装置に対してコンテンツリスト要求を行い、また、前記情報処理装置から提供されたコンテンツリストを表示部に表示する制御部を有し、
前記情報処理装置は、コンテンツを記憶する記憶部と、前記コンテンツ再生装置からコンテンツリスト要求を受信する通信部と、前記コンテンツに前記コンテンツ再生装置に対する視聴が制限されるコンテンツが含まれているか否かを判定し、前記コンテンツに前記コンテンツ再生装置に対する視聴が制限されるコンテンツが含まれるときに、当該視聴が制限されるコンテンツ以外のコンテンツからなるコンテンツリストを生成し、前記コンテンツ再生装置に提供する制御部と、を有することを特徴とする視聴制限システム。
【請求項１１】
前記情報処理装置の前記制御部は前記コンテンツを所定の条件に基づいてジャンル分けして前記コンテンツリストを作成し、前記コンテンツ再生装置の前記制御部は前記コンテンツリストにおいてコンテンツを含まないジャンルを前記表示部に表示しないことを特徴とする請求項１０に記載の視聴制限システム。
【発明の詳細な説明】
【技術分野】
【０００１】
本発明は、ネットワークを介して、コンテンツ再生装置が再生可能なコンテンツのリスト及びコンテンツを提供する情報処理装置及び視聴制限システムに関する。
【背景技術】
【０００２】
近年、情報処理装置に記憶・蓄積されたコンテンツ（デジタルデータ）を他の装置で視聴するためのネットワーク環境が一般化されつつある。このようなネットワークを介したコンテンツの共有化を実現するための情報技術に関する標準規格を作成するためにＤＬＮＡ（Ｄｉｇｉｔａｌ  Ｌｉｖｉｎｇ  Ｎｅｔｗｏｒｋ  Ａｌｌｉａｎｃｅ）が結成されている。また、ＤＬＮＡガイドラインに基づいてコンテンツの視聴や管理を行う技術が提供されている。
【０００３】
ところでＤＬＮＡガイドラインによれば、暴力的な描写等を含むコンテンツを１８歳未満の者に視聴させないようにするために、例えば子供用のコンテンツ再生装置が情報処理装置（コンテンツ提供装置）にアクセスできないようにアクセス制限を行うことができる。しかしながら情報処理装置へのアクセスを制限すると当該コンテンツ再生装置では、情報処理装置に記憶・蓄積された全てのコンテンツを再生することができなくなってしまうという問題があった。
【０００４】
そこで特許文献１では、コンテンツ毎及びコンテンツ再生装置毎にレイティング（視聴制限の基準となる数値・レベル）を設定し、これによって特定のコンテンツ再生装置に対して、特定のコンテンツの視聴を制限することを実現している。具体的には、特定のコンテンツに設定されているレイティングよりもレイティングの値が大きいコンテンツ再生装置では特別な操作なくコンテンツを視聴でき、特定のコンテンツに設定されているレイティングよりもレイティングの値が小さいコンテンツ再生装置ではＰＩＮ入力しなければコンテンツを視聴できないこととしている。
【先行技術文献】
【特許文献】
【０００５】
【特許文献１】特開２０１１−１３５１８１号公報
【発明の概要】
【発明が解決しようとする課題】
【０００６】
しかしながら上記特許文献１によれば、子供用のコンテンツ再生装置から情報処理装置にアクセスした際に、自装置よりもレイティングの値が大きいコンテンツもレイティングの値が小さいコンテンツもコンテンツリストに表示される。従って子供にＰＩＮ入力しなければ視聴できないコンテンツ（言い換えれば自装置では視聴できないコンテンツ）の存在を認識させることになる。そして自装置では視聴できないコンテンツを視聴するために親が使用するコンテンツ再生装置を使用してそのコンテンツを視聴することが考えられる。
【０００７】
本発明は、上述した問題点に鑑み、コンテンツ再生装置に対してコンテンツ毎の視聴制限を行うとともに、視聴制限されているコンテンツの存在を認識させない情報処理装置を提供することを目的とする。
【課題を解決するための手段】
【０００８】
上記目的を達成するために本発明の情報処理装置は、コンテンツを記憶する記憶部と、ネットワークに接続されているコンテンツ再生装置からコンテンツリスト要求を受信する通信部と、前記コンテンツに前記コンテンツ再生装置に対する視聴が制限されるコンテンツが含まれているか否かを判定する制御部と、を備え、前記制御部は、前記コンテンツに前記コンテンツ再生装置に対する視聴が制限されるコンテンツが含まれるときに、当該視聴が制限されるコンテンツ以外のコンテンツからなるコンテンツリストを生成し、前記コンテンツ再生装置に提供することを特徴とする。
【０００９】
この構成によると、コンテンツのレイティングを示す情報とコンテンツ再生装置のレイティングを示す情報に基づいて情報処理装置に記憶されているコンテンツに、視聴が制限されるコンテンツ（以下、「視聴が制限されるコンテンツ」を「視聴制限コンテンツ」という。）が含まれるか否かが判定される。そして視聴制限コンテンツが含まれるときは、視聴制限コンテンツ以外のコンテンツからなるコンテンツリストをコンテンツ再生装置に提供する。従って、コンテンツ再生装置に表示されるコンテンツリストにおいて、当該コンテンツ再生装置に対する視聴制限コンテンツが表示されない。また、コンテンツ再生装置における視聴制限コンテンツの視聴が制限される。
【００１０】
また本発明は、上記構成の情報処理装置において、前記制御部は、前記コンテンツのレイティングを示す情報及び前記コンテンツ再生装置のレイティングを示す情報を取得し、前記コンテンツのレイティングと前記コンテンツ再生装置のレイティングとを比較することによって、前記コンテンツに前記コンテンツ再生装置に対する視聴が制限されるコンテンツが含まれているか否かを判定することが望ましい。
【００１１】
また本発明は、上記構成の情報処理装置において、前記制御部は、前記コンテンツのレイティングが前記コンテンツ再生装置のレイティングよりも大きい値であるときに前記コンテンツに前記コンテンツ再生装置に対する視聴が制限されるコンテンツが含まれていると判定することが望ましい。
【００１２】
また本発明は、上記構成の情報処理装置において、前記コンテンツ再生装置のレイティングを示す情報は前記コンテンツ再生装置に割り当てられるＭＡＣアドレスに対応付けて記憶することが望ましい。
【００１３】
また本発明は、上記構成の情報処理装置において、前記ＭＡＣアドレスに代えて、又は前記ＭＡＣアドレスに加えて任意の名称を設定可能であり、前記コンテンツ再生装置のレイティングを示す情報は前記任意の名称に対応付けて記憶することが望ましい。
【００１４】
また本発明は、上記構成の情報処理装置において、前記コンテンツのレイティングは設定変更可能であることが望ましい。
【００１５】
また本発明は、上記構成の情報処理装置において、前記コンテンツのレイティングの設定変更時に、前記コンテンツ再生装置のレイティングを表示することが望ましい。
【００１６】
また本発明は、上記構成の情報処理装置において、前記コンテンツ再生装置のレイティングは設定変更可能であることが望ましい。
【００１７】
また本発明は、上記構成の情報処理装置において、前記コンテンツ再生装置のレイティングの設定変更時に、前記コンテンツのレイティングを表示することが望ましい。
【００１８】
上記目的を達成するために本発明の視聴制限システムは、コンテンツ再生装置と情報処理装置とを備える視聴制限システムであって、前記コンテンツ再生装置は、通信部を介してネットワークに接続されている情報処理装置に対してコンテンツリスト要求を行い、また、前記情報処理装置から提供されたコンテンツリストを表示部に表示する制御部を有し、前記情報処理装置は、コンテンツを記憶する記憶部と、前記コンテンツ再生装置からコンテンツリスト要求を受信する通信部と、前記コンテンツに前記コンテンツ再生装置に対する視聴が制限されるコンテンツが含まれているか否かを判定し、前記コンテンツに前記コンテンツ再生装置に対する視聴が制限されるコンテンツが含まれるときに、当該視聴が制限されるコンテンツ以外のコンテンツからなるコンテンツリストを生成し、前記コンテンツ再生装置に提供する制御部と、を有することを特徴とする。
【００１９】
また本発明は、上記構成の視聴制限システムにおいて、前記情報処理装置の前記制御部は前記コンテンツを所定の条件に基づいてジャンル分けして前記コンテンツリストを作成し、前記コンテンツ再生装置の前記制御部は前記コンテンツリストにおいてコンテンツを含まないジャンルを前記表示部に表示しないことが望ましい。
【発明の効果】
【００２０】
本発明によると、コンテンツ再生装置に表示されるコンテンツリストにおいて、当該コンテンツ再生装置に対する視聴制限コンテンツが表示されない。従ってコンテンツ再生装置の使用者は視聴制限コンテンツが存在することを認識することができない。また、視聴制限コンテンツがコンテンツリストに表示されないので、当該コンテンツ再生装置における視聴制限コンテンツの視聴が制限される。
【図面の簡単な説明】
【００２１】
【図１】は、本発明の情報処理装置の構成の一例を示すブロック図である。
【図２】は、本発明のコンテンツ再生装置の構成の一例を示すブロック図である。
【図３】は、本発明の情報処理装置の制御部が行う処理の一例を示す第１のフローチャートである。
【図４】は、本発明の情報処理装置の制御部が行う処理の一例を示す第２のフローチャートである。
【図５】は、本発明の情報処理装置の制御部が行う処理の一例を示す第３のフローチャートである。
【図６】は、本発明の情報処理装置の記憶部が記憶しているコンテンツのレイティングリストの一例を示す図である。
【発明を実施するための形態】
【００２２】
本発明の実施形態を説明するにあたって、まずネットワーク環境について説明を行う。本発明の情報処理装置はネットワークを介してコンテンツ再生装置に接続されており、情報処理装置に記憶されているコンテンツの共有化を実現している。特にホームネットワーク（家庭内において複数の機器を接続し、機器間での通信を可能とするネットワーク）を実現するための通信規格として、上述したＤＬＮＡが広まっている。従って以下ネットワーク環境としてＤＬＮＡガイドラインで規定されたホームネットワークを例に説明するが、ネットワークの通信規格はこれに限られるものではない。
【００２３】
ＤＬＮＡガイドラインで規定されたホームネットワークデバイス（ＤＬＮＡ機器）にはＤＭＳ（Ｄｉｇｉｔａｌ  Ｍｅｄｉａ  Ｓｅｒｖｅｒ）、ＤＭＰ（Ｄｉｇｉｔａｌ  Ｍｅｄｉａ  Ｐｌａｙｅｒ）、ＤＭＲ（Ｄｉｇｉｔａｌ  Ｍｅｄｉａ  Ｒｅｎｄｅｒｅｒ）、ＤＭＣ（Ｄｉｇｉｔａｌ  Ｍｅｄｉａ  Ｃｏｎｔｒｏｌｌｅｒ）が含まれる。
【００２４】
ＤＭＳはコンテンツデータを格納しており、他のＤＬＮＡ機器の要求に応じてコンテンツデータを提供するサーバ装置である。ＤＭＳとしては例えば録画機能を有する録画装置、ＤＬＮＡ通信規格を利用するためのプログラムがインストールされているパソコンやスマートフォン等の電子機器が利用される。ＤＭＣはＤＭＲを制御するコントローラであり、ＤＭＲはＤＭＣの制御の下にＤＭＳから受信するコンテンツデータを再生する機器である。ＤＭＰはＤＭＣとＤＭＲの機能を併せ持つプレーヤ機器である。各ＤＬＮＡ機器は夫々が単一の機能のみを有することとしてもよいが、複数の機能を有することとしてもよい。例えばＤＭＰとＤＭＣの両方の機能を備えるＤＬＮＡ機器やＤＭＳとＤＭＰの両方の機能を備えるＤＬＮＡ機器がある。
【００２５】
以下の説明において、本発明の情報処理装置はＤＭＳとしての機能のみを有し、ネットワークを介してＤＭＰとしての機能のみを有するＤＬＮＡ機器に接続されているものとする。以下に本発明の実施形態について図面を参照して説明する。図１は本発明の情報処理装置１の構成例を示すブロック図である。情報処理装置１は制御部１１、表示部１２、操作部１３、通信部１４、記憶部１５を備えている。なお、本発明の情報処理装置１（以下、「情報処理装置」を「ＤＭＳ」という。）はホームネットワークを介してコンテンツ再生装置（以下、「コンテンツ再生装置」を「ＤＭＰ」という。）２に接続されている。
【００２６】
制御部１１はＤＭＳ１全体を総括的に制御する制御手段である。制御部１１はＣＰＵとＲＯＭとＲＡＭ（いずれも不図示）とを含んでいる。ＲＯＭには制御部１１が実行するプログラム、プログラムの実行に必要なパラメータやデータが記憶されている。ＣＰＵはＲＯＭに記憶されている各種プログラムを実行する。ＲＡＭは各種処理の過程で得られるデータや各種処理の結果得られるデータを一時的に格納する。これらＣＰＵ、ＲＡＭ、ＲＯＭ等は、バスを介して接続されている。なお、ＣＰＵ、ＲＯＭ及びＲＡＭはこれらの一部または全部を１チップに集積化しても構わない。
【００２７】
制御部１１はＤＭＰ２の要求に応じて、後述するようにＤＭＰ２のレイティング情報とコンテンツのレイティング情報とに基づいてコンテンツリストを生成する。また、制御部１１はＤＭＰ２の要求に応じてコンテンツデータや生成したコンテンツリストをＤＭＰ２に提供する。
【００２８】
表示部１２は後述するようにＤＭＰ２のレイティングや記憶部１５（後述）に記憶されているコンテンツのレイティングを設定、変更するための画面が表示される表示手段である。表示部１２及び後述する表示部２２はＤＭＳ１やＤＭＰ２が備えることとしてもよいし、ＤＭＳ１やＤＭＰ２と有線又は無線によって接続された外部表示装置であってもよい。
【００２９】
操作部１３はＤＭＰ２のレイティングや記憶部１５（後述）に記憶されているコンテンツのレイティングを設定、変更するための操作手段である。操作部１３及び後述する操作部２３としては、ＤＭＳ１やＤＭＰ２本体に各種のキーやボタンを設けてもよいし、表示部１２や後述する表示部２２にタッチパネル機能を付加してもよい。また、ＤＭＳ１やＤＭＰ２本体を遠隔操作するためのリモートコントローラを操作部１３、操作部２３として用いても構わない。
【００３０】
通信部１４はホームネットワークを介してＤＭＰ２の通信部２４と通信を行う。通信部１４はＤＭＰ２からコンテンツのリスト要求やコンテンツのデータ要求を受信し、これに応じて各種データや信号をＤＭＰ２に送信（配信）する。
【００３１】
記憶部１５はコンテンツデータ、コンテンツのレイティング情報、ホームネットワークに接続されるＤＬＮＡ機器（本実施形態ではＤＭＰ２）のレイティング情報を記憶する。なお、コンテンツのレイティング情報はコンテンツデータに含まれることとしてもよい。
【００３２】
図２はＤＭＰ２の構成例を示すブロック図である。ＤＭＰ２は制御部２１、表示部２２、操作部２３、通信部２４を備えている。
【００３３】
制御部２１はＤＭＰ２全体を総括的に制御する制御手段である。制御部２１はＣＰＵとＲＯＭとＲＡＭ（いずれも不図示）とを含んでいる。ＲＯＭには制御部２１が実行するプログラム、プログラムの実行に必要なパラメータやデータが記憶されている。ＣＰＵはＲＯＭに記憶されている各種プログラムを実行する。ＲＡＭは各種処理の過程で得られるデータや各種処理の結果得られるデータを一時的に格納する。これらＣＰＵ、ＲＡＭ、ＲＯＭ等は、バスを介して接続されている。なお、ＣＰＵ、ＲＯＭ及びＲＡＭはこれらの一部または全部を１チップに集積化しても構わない。
【００３４】
制御部２１は後述する通信部２４を介したＤＭＳ１との通信を制御する。また、通信部２４が受信したコンテンツリストやコンテンツデータに基づいてコンテンツリストの表示やコンテンツの再生に係る処理を行う。
【００３５】
表示部２２はＤＭＳ１から提供されるコンテンツリストを表示する表示手段である。また表示部２２はＤＭＳ１から配信されるコンテンツを表示するための表示手段でもある。
【００３６】
操作部２３はユーザがメニューを操作したり、ＤＭＳ１から提供されるコンテンツリストの中からコンテンツを選択する操作手段である。また操作部２３はＤＭＳ１から提供されるコンテンツの再生、停止等を操作する操作手段としても機能する。
【００３７】
通信部２４はホームネットワークを介してＤＭＳ１の通信部１４と通信を行う。通信部２４はＤＭＳ１に対してコンテンツのリスト要求やコンテンツのデータ要求を送信し、これに応じてＤＭＳ１から提供される各種データや信号を受信する。
【００３８】
図３は本実施形態のＤＭＳ１の制御部１１が実行する処理の流れを示す第１のフローチャートである。具体的には、ホームネットワークに接続されているＤＬＮＡ機器のレイティングを設定する際に制御部１１が実行する処理の流れを示すフローチャートである。
【００３９】
なお、本実施形態においてレイティングとは、視聴制限の基準となる数値・レベル（パレンタルレベル）である。レイティング情報は予めコンテンツの作成者によって定められていてもよいし、ＤＭＳ１の使用者が設定することとしてもよい。また、コンテンツの作成者によって定められている場合において、ＤＭＳ１の使用者が任意のレイティングを設定（すなわち設定を変更）することとしてもよい。またホームネットワークに接続されるＤＬＮＡ機器のレイティングはＤＭＳ１で設定可能であり、個々のＤＬＮＡ機器（ＤＭＳ機能を備えるＤＬＮＡ機器を除く）で設定することはできない。なお、以下において単にＤＬＮＡ機器と記載するときはホームネットワークに接続されているＤＭＳ１以外のＤＬＮＡ機器を示すものとする。
【００４０】
制御部１１は後述するようにコンテンツのレイティングと後述するＤＬＮＡ機器のレイティングとを比較することによって各コンテンツがそのＤＬＮＡ機器に対する視聴制限コンテンツであるか否かを判定する。本実施形態においてはコンテンツのレイティングの値がＤＬＮＡ機器のレイティングの値よりも大きいときにそのＤＬＮＡ機器に対する視聴制限コンテンツであると判定することとするが、判定方法はこれに限られるものではなく、コンテンツのレイティングの値がＤＬＮＡ機器のレイティングの値よりも小さいときにそのＤＬＮＡ機器に対する視聴制限コンテンツであると判定することとしてもよい。
【００４１】
ステップＳ０１において制御部１１は通信部１４を介してホームネットワークに接続されているＤＬＮＡ機器（本実施形態ではＤＭＰ２）を検出し、ＤＬＮＡ機器の識別情報（アドレス情報）を取得する。識別情報（アドレス情報）とは各ＤＬＮＡ機器を識別・特定するための情報であり、本実施形態では識別情報（アドレス情報）としてＭＡＣアドレスを取得する。ＭＡＣアドレスは各ＤＬＮＡ機器に対して夫々固有の値が割り振られており、変更されることがないため確実に機器の特定を行うことができる。
【００４２】
ステップＳ０２において制御部１１はＤＬＮＡ機器のレイティング設定画面を表示する指示がなされたか否かを判定する。ＤＬＮＡ機器のレイティング設定画面を表示する指示がなされれば（ステップＳ０２のＹ）ステップＳ０３に進み、。ＤＬＮＡ機器のレイティング設定画面を表示する指示がなされなければ（ステップＳ０２のＮ）ステップＳ０２に戻る。なお、ＤＬＮＡ機器のレイティング設定画面を表示する指示がなされなければレイティング設定処理を終了する（ＥＮＤに進む）こととしてもよい。
【００４３】
ステップＳ０３において制御部１１は表示部１２にＤＬＮＡ機器のＭＡＣアドレスのリストを表示するとともに、各ＤＬＮＡ機器のレイティングを示す情報を各ＤＬＮＡ機器のＭＡＣアドレスに対応付けて表示する。なお、本実施形態においてはホームネットワーク上にＤＭＰ２しか接続されていないためリストにはＤＭＰ２のＭＡＣアドレス及びレイティングを示す情報が表示されるが、ホームネットワーク上に複数のＤＬＮＡ機器が接続されている場合には全てのＤＬＮＡ機器のＭＡＣアドレス及びレイティングを示す情報がリスト化されて表示される（但し複数ページに分類して表示することとしてもよい）。
【００４４】
ステップＳ０４において制御部１１はレイティングの設定変更が終了したか否かを判定する。レイティングの設定変更が終了したときは（ステップＳ０４のＹ）ステップＳ０５に進みＤＬＮＡ機器のレイティング情報をＭＡＣアドレスに対応付けて記憶する。一方、レイティングの設定変更が終了していないときは（ステップＳ０４のＮ）ステップＳ０４に戻る。
【００４５】
図４は本実施形態のＤＭＳ１の制御部１１が実行する処理の流れを示す第２のフローチャートである。具体的には、ＤＭＳ１の記憶部１５に記憶されているコンテンツのレイティングを設定する際に制御部１１が実行する処理の流れを示すフローチャートである。
【００４６】
ステップＳ１１において制御部１１は記憶部１５に記憶されているコンテンツのレイティング設定画面を表示する指示がなされたか否かを判定する。コンテンツのレイティング設定画面を表示する指示がなされれば（ステップＳ１１のＹ）ステップＳ１２に進み、。コンテンツのレイティング設定画面を表示する指示がなされなければ（ステップＳ１１のＮ）ステップＳ１１に戻る。なお、コンテンツのレイティング設定画面を表示する指示がなされなければレイティング設定処理を終了する（ＥＮＤに進む）こととしてもよい。
【００４７】
ステップＳ１２において制御部１１は表示部１２にコンテンツの識別情報（コンテンツ名、コンテンツ内容を示す画像等）のリストを表示するとともに、各コンテンツのレイティングを示す情報をコンテンツの識別情報に対応付けて表示する。なお、記憶部１５に複数のコンテンツが記憶されているときには全てのコンテンツ及びレイティングを示す情報がリスト化されて表示される（但し複数ページに分類して表示することとしてもよい）。
【００４８】
ステップＳ１３において制御部１１はレイティングの設定変更が終了したか否かを判定する。レイティングの設定変更が終了したときは（ステップＳ１３のＹ）ステップＳ１４に進みコンテンツのレイティング情報をコンテンツの識別情報に対応付けて記憶する。一方、レイティングの設定変更が終了していないときは（ステップＳ１３のＮ）ステップＳ１３に戻る。
【００４９】
図５は本実施形態のＤＭＳ１の制御部１１が実行する処理の流れを示す第３のフローチャートである。具体的には、ＤＭＰ２からのコンテンツのリスト要求に応じてＤＭＰ２に提供するためのコンテンツリストを生成する際に制御部１１が実行する処理の流れを示すフローチャートである。
【００５０】
ステップＳ２１において制御部１１は通信部１４がＤＭＰ２からのコンテンツのリスト要求を受信したか否かを判定する。コンテンツのリスト要求を受信していれば（ステップＳ２１のＹ）ステップＳ２２に進み、コンテンツのリスト要求を受信していなければ（ステップＳ２１のＮ）ステップＳ２１に戻る。なお、コンテンツのリスト要求を受信していなければコンテンツリストの生成処理を終了する（ＥＮＤに進む）こととしてもよい。
【００５１】
ステップＳ２２において制御部１はコンテンツのレイティング情報及びＤＭＰ２のレイティング情報を記憶部１５から取得する。なお、本フローチャートにおいて制御部１１はステップＳ２２においてコンテンツのレイティング情報及びＤＭＰ２のレイティング情報を取得しているが、制御部１１がコンテンツのレイティング情報及びＤＭＰ２のレイティング情報を取得するタイミングは当該タイミングとは限られない。定期的或いは不定期に取得されてもよく、定期的或いは不定期に複数回情報を取得する場合には、取得された情報のうち最も新しい情報を使用することとしてもよい。
【００５２】
ステップＳ２３において制御部１１はコンテンツの中にＤＭＰ２のレイティングよりもレイティングの値が大きいコンテンツが含まれるか否かを判定する。例えば、ＤＭＰ２のレイティングの値が８であり、記憶部１５に記憶されているコンテンツのレイティングの値が図６に示すようになっているとき、コンテンツＥのレイティングの値がＤＭＰ２のレイティングの値よりも大きいため、制御部１１はコンテンツの中にＤＭＰ２のレイティングよりもレイティングの値が大きいコンテンツが含まれると判定する。
【００５３】
コンテンツの中にＤＭＰ２のレイティングよりもレイティングの値が大きいコンテンツが含まれるときは（ステップＳ２３のＹ）ステップＳ２４に進み、コンテンツの中にＤＭＰ２のレイティングよりもレイティングの値が大きいコンテンツが含まれないときは（ステップＳ２３のＮ）ステップＳ２５に進む。
【００５４】
ステップＳ２４において制御部１１はＤＭＰ２のレイティングよりもレイティングの値が大きいコンテンツ（すなわち視聴制限コンテンツ）を特定し、視聴制限コンテンツ（図６におけるコンテンツＥ）以外のコンテンツ（図６におけるコンテンツＡ〜Ｄ）からなるコンテンツリストを生成する。
【００５５】
一方ステップＳ２５において制御部１１はコンテンツに視聴制限コンテンツが含まれないので、記憶部１５に記憶されている全てのコンテンツ（図６におけるコンテンツＡ〜Ｅ）からなるコンテンツリストを生成する。
【００５６】
そしてステップＳ２６において制御部１１は通信部１４を介してコンテンツリストをＤＭＰ２に提供する。コンテンツリストの提供を受けたＤＭＰ２は上述したようにコンテンツリストを表示部２２に表示する。ＤＭＰ２の使用者は表示部２２に表示されるコンテンツリストから所望のコンテンツを選択し、ＤＭＳ１に対してコンテンツのデータ要求を行うことでＤＭＳ１からコンテンツデータが提供され、当該コンテンツを視聴することができる。
【００５７】
本実施形態によれば、視聴制限コンテンツがコンテンツリストに表示されないのでコンテンツ再生装置の使用者は情報処理装置に視聴制限コンテンツが記憶されていることを認識することができない。また、視聴制限コンテンツがコンテンツリストに表示されないのでコンテンツのデータ要求を行うことができず、コンテンツ再生装置の使用者は視聴制限コンテンツを視聴することができない。
【００５８】
上記実施形態においてＤＬＮＡ機器のレイティング情報はＤＬＮＡ機器のＭＡＣアドレスに対応付けて記憶することとしたが、ＤＭＳ１がＤＬＮＡ機器に任意の名称を設定することができるときは、当該任意の名称に対応付けて記憶することとしてもよい。例えば子供部屋に設置しているＤＬＮＡ機器に対して「子供用」、リビングに設置しているＤＬＮＡ機器に対して「リビング用」などの名称を設定し、ＭＡＣアドレスに代えて或いはＭＡＣアドレスに加えて当該任意の名称にレイティング情報を対応付けて記憶することとしてもよい。これによりＭＡＣアドレスに比べて各ＤＬＮＡ機器がどの部屋に設置されているか又は誰用のＤＬＮＡ機器であるかを即座に把握することができる。
【００５９】
上記図３のフローチャートにおいてＤＭＳ１の使用者の要求に応じてＤＬＮＡ機器（ＤＭＰ２）のレイティングを表示することとしてもよい。また、上記図４のフローチャートにおいてＤＭＳ１の使用者の要求に応じて記憶部１５に記憶されているコンテンツのレイティングを表示することとしてもよい。これにより、レイティングの設定が容易になる。
【００６０】
また上記実施形態においてＤＭＳ１の制御部１１が生成するコンテンツリストは所定の条件に基づいてジャンル分けして作成されることとしてもよい。ジャンル分け方法は特に限られないが、例えば、コンテンツが映画、ドラマ、コンサートの３つにジャンル分けされているときに、コンテンツリストにおいて映画を選択することにより、映画にジャンル分けされたコンテンツのリストが表示される。
【００６１】
なお、コンテンツリストが所定の条件に基づいてジャンル分けして作成される場合において、ＤＭＰ２の制御部２１はコンテンツを含まないジャンルを表示部２２に表示しないこととしてもよい。すなわち、ＤＭＰ２は、ＤＭＳ１にコンテンツリストを要求することでコンテンツリストを受信するが、例えばＤＭＳ１において映画にジャンル分けされたコンテンツが全てＤＭＰ２に対する視聴制限コンテンツであればコンテンツリストにおいて映画にはコンテンツが含まれないことになる。そこでＤＭＰ２の制御部２１はＤＭＳ１から取得したコンテンツリストを表示部２２に表示する際に、コンテンツが含まれないジャンル（上記例では映画ジャンル）をコンテンツリストに表髄しないこととしてもよい。このようにコンテンツを含まないジャンルを表示部２２に表示しないことによってＤＭＰ２の使用者は映画ジャンルにおける視聴制限コンテンツの存在を認識できない。
【産業上の利用可能性】
【００６２】
本発明は、ネットワークを介して、コンテンツ再生装置が再生可能なコンテンツのリスト及びコンテンツを提供する情報処理装置及び視聴制限システムに利用できる。
【符号の説明】
【００６３】
１          ＤＭＳ（情報処理装置）
２          ＤＭＰ（コンテンツ再生装置）
１１，２１  制御部
１２，２２  表示部
１３，２３  操作部
１４，２４  通信部
１５        記憶部
【図１】
2014023086.tif 000003
【図２】
2014023086.tif 000004
【図３】
2014023086.tif 000005
【図４】
2014023086.tif 000006
【図５】
2014023086.tif 000007
【図６】
2014023086.tif 000008